(57)【要約】【課題】  構造が簡素で、しかも、接続対象物と安定した接続を行うことができるコネクタを提供する。【解決手段】  実線で示されるＦＰＣ１１の嵌合側端部を破線で示されるように、各コンタクト２の上側梁２ｂと下側梁２ｃの間に各コンタクトの奥まで挿入する。上側梁の接点２ｂ１と下側梁の接点２ｃ１とが、ＦＰＣのコネクタ１に対する嵌合離脱方向にずれて配設されているので、ＦＰＣは、挿入抜去され易い。ＦＰＣの挿入後、アクチュエータ４をカム部４ａを中心として約９０°右回転させる。すると、カム部４ａは、ＦＰＣの嵌合側端部の近傍を押してＦＰＣを左回転させる。したがって、ＦＰＣの上面に固定されている金属板（表面が絶縁処理されている。）１１ａは各コンタクトの上側梁に圧接し、ＦＰＣの下面に形成されている導体パターンは各下側梁の接点に接触する。【選択図】  図１
2006261054.tif 000002
【特許請求の範囲】
【請求項１】
接続対象物と接続するコネクタにおいて、
前記コネクタは、前記接続対象物と接続するコンタクトと、前記コンタクトを保持するハウジングと、前記接続対象物との接続位置と非接続位置の間で移動可能に前記ハウジングに保持されている操作部材とを有し、
前記操作部材は、カム部を有し、
前記コンタクトは、第１の突出部を備える第１のばね部と、前記第１のばね部と対向し、第２の突出部を備える第２のばね部とを有し、
前記第１の突出部と前記第２の突出部の両方はそれぞれ前記接続対象物の両面と弾力的に接触し、一方は前記接続対象物の一面と電気的に接続し、
前記接続対象物と接続する際、前記カム部と前記第１のばね部の根元部又は前記第２のばね部の根元部とにより、前記接続対象物の嵌合側端部の近傍を挟持することを特徴とするコネクタ。
【請求項２】
前記第１の突出部と前記第２の突出部とは、前記接続対象物との嵌合離脱方向において、ずれて配設されていることを特徴とする請求項１記載のコネクタ。
【発明の詳細な説明】
【技術分野】
【０００１】
本発明は、ＦＰＣ、ＦＦＣ又は剛性の基板等の接続対象物と接続するコネクタに関し、詳しく述べると、接続対象物とコネクタが確実に接続する構造に関する。
【背景技術】
【０００２】
従来のＦＰＣ用コネクタについて説明する（例えば、特許文献１参照。）。
【０００３】
図３に示されるように、コネクタ６０のハウジング６１は、扁平の箱形状であり、底板部６２、上板部６３、側板部及び背面板部６６を有する。ハウジング６１は、左側に扁平な長方形枠部６７を有し、長方形枠部６７は、ＦＰＣ４０の挿入口６８を形成する。上板部６３には、アクチュエータ８０に対応する長方形開口６９が形成されている。
【０００４】
コンタクト７０は、ベース部７１と、上側梁７２と、下側梁７３とを有する。ベース部７１は、右下側に外部端子部７４を有し、左上側に半円形状の支持部７５を有する。ベース部７１の左上側には、柱部７６が形成されている。上側梁７２は、幅広い根元部７７を有し、根元部７７は、柱部７６に連続する。柱部７６は、くびれており、左側に弾性変形し易く構成されている。上側梁７２の根元部７７に、下側梁７３に向かってストッパ部７８が形成されている。ストッパ部７８と下側梁７３の間には、隙間ｇが存在する。上側梁７２、下側梁７３は、それぞれ先端に接点７２ａ，７３ａを有する。
【０００５】
コンタクト７０は、略Ｕ字形状に一体に構成され、両接点７２ａ，７３ａの間隔は、ＦＰＣ４０とこれに貼付されている補強板４５との厚さの和よりも大きい。
【０００６】
コンタクト７０のベース部７１は、背面板部６６の孔６６ａに固定されている。上下両側梁７２，７３は、ハウジング６１内に収納され、接点７２ａ，７３ａは、ＦＰＣ４０の挿入口６８に臨む。下側梁７３が弾性変形することができるように、下側梁７３の先端側は底板部６２の上面から離間している。根元部７７は、支持部７５に対向している。
【０００７】
アクチュエータ８０は、長方形開口６９に対応する４角形状のカバー部８１と、カバー部８１から傾斜して延出する迫り出し板部８２を有する。迫り出し板部８２は、カム部８３を有する。カム部８３には、支持部７５に対応する軸受部８４が形成されている。
【０００８】
アクチュエータ８０の軸受部８４は、支持部７５にはまり、カム部８３は、支持部７５と根元部７７の間に入り込んでいる。
【０００９】
ＦＰＣ４０をコネクタ６０に接続する操作を説明する。まず、アクチュエータ８０を図３の位置まで引き上げ、ＦＰＣ４０の先端がストッパ部７８に当接するまで、ＦＰＣ４０をコネクタ６０内に挿入する。次に、アクチュエータ８０を手指で図４に示される位置まで押し下げる。すると、アクチュエータ８０は、支持部７５を支点として回転するが、このとき、カム部８３が根元部７７に力Ｆ１０を与える。したがって、柱部７６は左方向に弾性変形し、接点７２ａは下方向に変位する。ストッパ部７８の先端が下側梁７３の根元部に当接するまで、柱部７６は弾性変形する。
【００１０】
接点７２ａが下方向に変位すると、両接点７２ａ，７３ａは、ＦＰＣ４０に当接し、それ以上の変位を制限される。柱部７６はこれ以後も弾性変形し、この過程で、上下両側梁７２，７３は弾性変形する。
【００１１】
すると、両接点７２ａ，７３ａは、ＦＰＣ４０に力Ｆ１１の接触圧力を与える。したがって、ＦＰＣ４０の導体パターン４１は、コネクタ６０の接点７３ａと接続する。
【００１２】
【特許文献１】特開２００４−３９４７９号公報（第７頁第３行−第９頁第２３行、図４，５）
【発明の開示】
【発明が解決しようとする課題】
【００１３】
前記従来のコネクタ６０においては、アクチュエータ８０のカム部８３がコンタクト７０の根元部７７を押し、柱部７６が弾性変形し、ストッパ部７８の先端が下側梁７３の根元部に当接するものである。
【００１４】
したがって、従来のコネクタ６０は、構造が複雑であり、また、ＦＰＣ４０と安定した接続を行い難いものである。
【００１５】
そこで、本発明は、前記コネクタの欠点を改良し、構造が簡素で、しかも、ＦＰＣ等の接続対象物と安定した接続を行うことができるコネクタを提供しようとするものである。
【課題を解決するための手段】
【００１６】
本発明は、前記課題を解決するため、次の手段を採用する。
【００１７】
１．接続対象物と接続するコネクタにおいて、前記コネクタは、前記接続対象物と接続するコンタクトと、前記コンタクトを保持するハウジングと、前記接続対象物との接続位置と非接続位置の間で移動可能に前記ハウジングに保持されている操作部材とを有し、前記操作部材は、カム部を有し、前記コンタクトは、第１の突出部を備える第１のばね部と、前記第１のばね部と対向し、第２の突出部を備える第２のばね部とを有し、前記第１の突出部と前記第２の突出部の両方はそれぞれ前記接続対象物の両面と弾力的に接触し、一方は前記接続対象物の一面と電気的に接続し、前記接続対象物と接続する際、前記カム部と前記第１のばね部の根元部又は前記第２のばね部の根元部とにより、前記接続対象物の嵌合側端部の近傍を挟持するコネクタ。
【００１８】
２．前記第１の突出部と前記第２の突出部とは、前記接続対象物との嵌合離脱方向において、ずれて配設されている前記１記載のコネクタ。
【発明の効果】
【００１９】
明細書の説明から明らかなように、本発明は、次の効果を奏する。
【００２０】
１．構造が簡素で、しかも、ＦＰＣ等の接続対象物と安定した接続を確実に行うことができる。
【００２１】
２．操作部材は、回転運動でもスライド等の直線運動でも、接続対象物とコネクタとの接続及び非接続を行うことができる。
【００２２】
３．コンタクトの第１の突出部と第２の突出部とは、接続対象物との嵌合離脱方向において、ずれて配設されているので、接続対象物をコネクタに対して挿入抜去し易い。
【発明を実施するための最良の形態】
【００２３】
本発明の一実施例のコネクタについて説明する。
【実施例１】
【００２４】
本発明の実施例１のＦＰＣ用コネクタについて図１と図２を参照して説明する。
【００２５】
ＦＰＣ１１がコネクタ１に嵌合する前の状態を示す図１において、多数のコンタクト２が、紙面に直角な方向に一定のピッチでインシュレータ３に保持されている。インシュレータ３には、アクチュエータ４がアクチュエータ４に設けられたカム部４ａを中心として９０°右回転可能に支持されている。
【００２６】
各コンタクト２は、ベース部２ａと、ベース部２ａに連続する弾性変形可能な上側梁２ｂと、ベース部２ａに連続する弾性変形可能な下側梁２ｃと、ベース部２ａに連続する固定用端子部２ｄとから略Ｕ字形状に一体に構成される。
【００２７】
下側梁２ｃは、上側梁２ｂよりも長く設定されている。上側梁２ｂの先端には、接点２ｂ１が突出するように形成され、下側梁２ｃの先端には、接点２ｃ１が突出するように形成される。接点２ｂ１と接点２ｃ１の上下方向の間隔は、ＦＰＣ１１の厚さよりも若干小さく設定されている。ベース部２ａに隣接する下側梁２ｃには、カム部４ａが係合するための凹部２ｃ２が形成されている。
【００２８】
ＦＰＣ１１は、各コンタクト２との圧接による曲げ応力に耐えられる剛性を有する必要がある。各コンタクト２の接点２ｃ１と接触するＦＰＣ１１の面の反対側の面には、表面が絶縁処理されている金属板１１ａ等が、補強のために固定されている。
【００２９】
ＦＰＣ１１がコネクタ１と接続する場合の操作について説明する。図１に示される嵌合前の状態において、実線で示されているＦＰＣ１１の嵌合側端部を破線で示されるように、各コンタクト２の上側梁２ｂと下側梁２ｃの間に各コンタクト２の奥まで挿入する。ＦＰＣ１１を、コネクタ１に対して若干傾斜する姿勢で挿入すると、平行な姿勢で挿入するよりも、小さい力で挿入することができる。また、接点２ｂ１と接点２ｃ１とが、ＦＰＣ１１のコネクタ１に対する嵌合離脱方向にずれて配設されているので、挿入抜去し易い。
【００３０】
ＦＰＣ１１の嵌合側端部が図２の破線で示される位置まで挿入された後、アクチュエータ４をカム部４ａを中心として２点鎖線の位置から矢印Ａの方向に約９０°回転させて実線の位置まで至らせる。すると、カム部４ａは、ＦＰＣ１１の嵌合側端部の近傍を押して破線の位置から矢印Ｂの方向に若干の角度回転させて実線の位置まで至らせる。このとき、ＦＰＣ１１の上面に固定されている金属板（表面が絶縁処理されている。）１１ａは各コンタクト２の上側梁２ｂに圧接し、ＦＰＣ１１の下面に形成されている導体パターン（図示せず）は各コンタクト２の接点２ｃ１に接触する。ＦＰＣ１１の嵌合側端部の近傍は、カム部４ａと上側梁２ｂの根元部とにより挟持される。したがって、ＦＰＣ１１が各上側梁２ｂと各下側梁２ｃの間を若干拡大し、各接点２ｃ１とＦＰＣ１１の導体パターンの間に接触力が発生する。よって、ＦＰＣ１１とコネクタ１との接続は、完了する。
【００３１】
なお、カム部４ａと上側梁２ｂの根元部とでＦＰＣ１１を挟持するので、ＦＰＣ１１が抜け難く、ＦＰＣ１１の保持力が向上する。
【００３２】
本実施例１では、アクチュエータ４は、回転運動を行うが、スライド等の直線運動を行うように設計変更することができる。
【００３３】
また、ＦＰＣ１１の一面に全面的に、表面が絶縁処理されている補強用の金属板１１ａが固定されているが、ＦＰＣ１１の一面又は両面の所要箇所のみに金属板１１を固定するように設計変更することができる。
【図面の簡単な説明】
【００３４】
【図１】本発明の実施例１のＦＰＣ用コネクタの嵌合前の状態を示す断面図である。
【図２】同ＦＰＣ用コネクタの嵌合状態を示す断面図である。
【図３】従来のＦＰＣ用コネクタの嵌合前の状態を示す断面図である。
【図４】同ＦＰＣ用コネクタの嵌合状態を示す断面図である。
【符号の説明】
【００３５】
１  コネクタ（ＦＰＣ用コネクタ）
２  コンタクト
２ａ  ベース部
２ｂ  上側梁
２ｂ１  接点
２ｃ  下側梁
２ｃ１  接点
２ｃ２  凹部
２ｄ  固定用端子部
３  インシュレータ
４  アクチュエータ
４ａ  カム部
１１  ＦＰＣ
１１ａ  金属板
【図１】
2006261054.tif 000003
【図２】
2006261054.tif 000004
【図３】
2006261054.tif 000005
【図４】
2006261054.tif 000006